(57)【要約】【課題】原稿の階調特性を正確に反映した単色あるいは２色の画像を出力前に確認することが可能な画像処理装置を提供する。【解決手段】画像処理装置１は、画像表示装置４での表示用画像データに対して、原稿の色に近づける第一色変換処理を施す第一マトリクス演算部１１と、第一色変換処理が施された表示用画像データに、単色画像データあるいは２色画像データに変換する処理を施す第二マトリクス演算部１３と、を備える。【選択図】図１
2013219546.tif 000002
【特許請求の範囲】
【請求項１】
原稿から読み取られた画像データに画像処理を施し、出力装置にて出力する際に、上記画像データをプレビュー表示するための表示用画像データとして表示装置に供給する画像処理装置であって、
上記表示用画像データに、上記原稿の色に近づける第一色変換処理を施す第一色変換処理部と、
上記画像データを単色の単色画像データあるいは２色の２色画像データに変換する第二色変換処理を施す第二色変換処理部と、
上記出力装置にて出力する画像の色の選択を受け付けるモード受付部と、を備え、
前記モード受付部が、上記出力する画像の色として単色あるいは２色を受け付けると、前記第二色変換処理部は、上記受け付けた色に応じて、前記第一色変換処理が施された上記表示用画像データに対して上記第二色変換処理を施すことを特徴とする画像処理装置。
【請求項２】
上記表示用画像データに階調補正処理を行うガンマ処理部を備えていることを特徴とする請求項１に記載の画像処理装置。
【請求項３】
上記原稿が少なくとも文字原稿であるか否かの判別を行う原稿種別自動判別部と、
上記原稿種別自動判別部により上記原稿が文字原稿であると判定された場合、上記表示用画像データに対して上記第一色変換処理部による処理が実行されないように制御する制御部と、を備えていることを特徴とする請求項１または２に記載の画像処理装置。
【請求項４】
上記第二色変換処理部は、上記第二色変換処理として、複数のマトリクス係数から選択された係数を用いてマトリクス演算を実行することを特徴とする請求項１から３項の何れか１項に記載の画像処理装置。
【請求項５】
請求項１から４のいずれか１項に記載の画像処理装置と、原稿を読み取る画像入力装置と、画像データを出力する出力装置と、表示用画像データの表示を行う表示装置と、を備えることを特徴とする画像形成装置。
【請求項６】
請求項１から４のいずれか１項に記載の画像処理装置を動作させるための画像処理プログラムであって、コンピュータを上記画像処理装置の上記各部として機能させるための画像処理プログラム。
【請求項７】
請求項６に記載の画像処理プログラムが記録されたコンピュータ読み取り可能な記録媒体。
【発明の詳細な説明】
【技術分野】
【０００１】
本発明は、入力画像データのサムネイルやプレビューの表示を行う画像処理装置、画像形成装置、画像処理プログラムおよびコンピュータ読み取り可能な記録媒体に関するものである。
【背景技術】
【０００２】
複写機や複合機などの画像形成装置において、原稿を読み取るスキャナ部の撮像素子として、ＣＣＤ（Charge Coupled Devices）イメージセンサが一般的に用いられている。ＣＣＤイメージセンサそのものは、色の識別能力はないため、カラースキャンを行う場合、ＲＧＢそれぞれのカラーフィルタを通った光を受光することでＲＧＢ各色からなるカラー画像データを得ている。しかしながら、カラーフィルタを通すことにより、ＣＣＤにて受光する光の強度は減衰してしまう。そのため、得られたカラー画像（スキャン画像）データは、原稿に比べ、彩度や階調が低下した画像となってしまう。
【０００３】
上記理由により、印刷装置にて出力する前のプレビュー画像として、スキャン画像をそのまま表示装置に表示すると、印刷装置での実際の出力に比べて彩度や階調が低下した画像を表示することになり、ユーザにとって、印刷装置での出力を事前にイメージすることが困難となる。
【０００４】
そこで、特許文献１では、印刷装置での実際の出力の色と、操作パネルなどの表示装置にプレビュー表示させた時の色との差が小さくなる色補正処理を施すことにより、印刷装置での出力画像と表示装置でのプレビュー画像との色味をマッチングさせる技術が提案されている。特許文献１では、モノクロ、シングル（モノクロとシングルとをまとめて単色と称する）、あるいは２色の画像データのプレビュー表示を行う際は、スキャン画像を単色または２色の画像データに変換し、その後、印刷装置にて出力される画像の色との差が小さくなる色補正処理を施している。
【先行技術文献】
【特許文献】
【０００５】
【特許文献１】特開２０１０−５６７９８号公報（２０１０年３月１１日公開）
【発明の概要】
【発明が解決しようとする課題】
【０００６】
しかしながら、カラー画像を単色あるいは２色の画像に変換すると、色差成分が除去されるため、カラー画像に比べ、階調差が見た目に分かり難くなる。また、プレビュー表示を行う場合、次に挙げる２つの理由により、印刷装置での出力に比べてさらに階調差が分かり難くなる。１つ目の理由は、画像表示装置は液晶パネルにより構成されている場合がほとんどであり、液晶パネルは正面以外から見るとコントラストが低下して見える、というものである。２つ目の理由は、一般的によく用いられる用紙サイズであるＡ４の原稿に対して、表示装置は１０インチ程度と表示範囲が狭く、原稿全体を表示した場合、細かい階調を表わすことが困難である、というものである。
【０００７】
また、特許文献１のように、初めに単色あるいは２色の画像データに変換し、その後に色補正処理を施すと、原稿をスキャナで読み取って得られた画像データは階調差、彩度が原稿よりも劣化しているため、これらが劣化した状態で色補正されることになる。よって、プレビュー表示された画像と印刷された画像の色味は近い色になるが、階調差、彩度を改善することはできない。
【０００８】
そこで、本発明は、上記の問題点に鑑みてなされ、その目的は、原稿から読み取られた画像データを、単色あるいは２色で出力（印刷、ファイリング、あるいは、送信）する際、原稿の階調特性を正確に反映した単色あるいは２色の画像を出力前に確認することが可能な画像処理装置等を提供することにある。
【課題を解決するための手段】
【０００９】
本発明の画像処理装置は、上記課題を解決するために、原稿から読み取られた画像データに画像処理を施し、出力装置にて出力する際に、上記画像データをプレビュー表示するための表示用画像データとして表示装置に供給する画像処理装置であって、上記表示用画像データに、上記原稿の色に近づける第一色変換処理を施す第一色変換処理部と、上記画像データを単色の単色画像データあるいは２色の２色画像データに変換する第二色変換処理を施す第二色変換処理部と、上記出力装置にて出力する画像の色の選択を受け付けるモード受付部と、を備え、前記モード受付部が、上記出力する画像の色として単色あるいは２色を受け付けると、前記第二色変換処理部は、上記受け付けた色に応じて、前記第一色変換処理が施された上記表示用画像データに対して上記第二色変換処理を施すことを特徴としている。
【００１０】
原稿から読み取って得られた画像データは、彩度や階調の再現性が悪く、原稿に比べ、くすんだ色味となっている。しかし、上記構成によると、表示装置に供給される表示用画像データに原稿の色に近づける第一色変換処理が施される。この第一色変換処理により、表示用画像データを、原稿の階調特性、彩度に近づけることができる。そして、出力装置にて出力（印刷、ファイリング、あるいは、送信）する画像の色の選択として、単色（モノクロあるいはシングル）、あるいは２色が選択されていると、原稿の色味に近い色補正処理である第一色変換処理が施された後に、単色画像データあるいは２色画像データに変換する第二色変換処理が施される。そのため、原稿が有している階調特性、彩度を維持してプレビュー表示することができる。
【００１１】
このように、上記第一色変換処理、上記第二色変換処理の順で処理することにより、出力装置にて出力する画像の色の選択として、単色あるいは２色が選択されている場合でも、原稿の階調特性、彩度を正確に反映することが可能となる。よって、ユーザは、出力装置にて出力（印刷、ファイリング、あるいは、送信）する前に、原稿の階調特性、彩度に近い画像を、画像表示装置にて確認することができる。
【００１２】
なお、出力装置にて出力する画像の色の選択として、フルカラーが選択されている場合、フルカラーの画像データに対しても第一色変換処理部での処理を施すことにより、同様の効果を得ることができる。つまり、原稿の階調特性、彩度に近いフルカラー画像をプレビュー表示できる。第二色変換処理部は、単色画像データあるいは二色画像データに変換する処理を行うため、フルカラーが選択されている場合には、第二色変換処理部での処理は実施されない。
【００１３】
また、本発明に係る画像処理装置は、上記構成に加え、上記表示用画像データに階調補正処理を行うガンマ処理部を備えていてもよい。
【００１４】
上記構成によると、画像データにガンマ処理を施すことにより、原稿の下地かぶりを抑制した画像をプレビュー表示できる。ガンマ処理部では、下地除去のように、下地の色味を変えるのではなく、原稿を読み取ることにより僅かに変化した下地の色を補正する処理を行う。例えば、画素値２４４を２５５になるように補正する。なお、新たにガンマ処理部を設けるのではなく、画像処理装置に従前設けられている画質調整部で、上記処理を行う構成であってもよい。なお、この画質調整部の前と後に第一色変換部と第二色変換部とが設けられる。
【００１５】
また、本発明に係る画像処理装置は、上記構成に加え、上記原稿が少なくとも文字原稿であるか否かの判別を行う原稿種別自動判別部と、上記原稿種別自動判別部により上記原稿が文字原稿であると判定された場合、上記表示用画像データに対して上記第一色変換処理部による処理が実行されないように制御する制御部と、を備えていてもよい。
【００１６】
原稿が文字原稿である場合には、写真の色味や階調性は重要ではない。よって、上記構成によると、文字原稿である場合に、原稿に近い色味に変換処理する処理を省略することで、プレビュー表示するまでの処理時間を短縮することができる。
【００１７】
また、本発明に係る画像処理装置では、上記第二色変換処理として、上記第二色変換処理部は、複数のマトリクス係数から選択された係数を用いてマトリクス演算を実行してもよい。
【００１８】
上記構成によると、上記第二色変換処理として行うマトリクス演算に用いるマトリクス係数を、複数から選択できる。よって、出力装置での単色画像の出力において複数の色から選択できる場合、プレビュー表示においても、対応する複数の色から選択された色に変換して表示することができる。また、出力装置で２色画像の出力において２色が選択されているとき、プレビュー表示においても対応する２色画像データに変換することができる。
【００１９】
本発明に係る画像形成装置は、上記課題を解決するために、上記いずれかに記載の画像処理装置と、原稿画像を読み取る画像入力装置と、画像データを出力する出力装置と、表示用画像データの表示を行う表示装置と、を備えることを特徴とする。
【００２０】
上記構成によると、画像表示装置に、原稿が有している階調特性、彩度を維持した単色あるいは２色の画像をプレビュー表示できる。このように、ユーザが、画像出力装置での出力前に、原稿が有している階調特性、彩度を維持した画像を確認できる画像形成装置を提供することができる。
【００２１】
また、本発明に係る画像処理装置は、コンピュータによって実現してもよく、この場合には、コンピュータを上記画像処理装置における上記各部として動作させることにより上記画像処理装置をコンピュータにて実現させる画像処理プログラム、およびその画像処理プログラムを記録したコンピュータ読み取り可能な記録媒体も、本発明の範疇に入る。
【００２２】
これらの構成によれば、上記画像処理プログラムを、コンピュータに読み取り実行させることによって、上記画像処理装置と同一の作用効果を実現することができる。
【発明の効果】
【００２３】
本発明に係る画像処理装置は、以上のように、上記表示用画像データに、上記原稿の色に近づける第一色変換処理を施す第一色変換処理部と、上記画像データを単色の単色画像データあるいは２色の２色画像データに変換する第二色変換処理を施す第二色変換処理部と、上記出力装置にて出力する画像の色の選択を受け付けるモード受付部と、を備え、前記モード受付部が、上記出力する画像の色として単色あるいは２色を受け付けると、前記第二色変換部は、上記受け付けた色に応じて、前記第一色変換処理が施された上記表示用画像データに対して上記第二色変換処理を施す。
【００２４】
上記構成によると、表示装置に供給される表示用画像データに原稿の色に近づける第一色変換処理が施される。この第一色変換処理により、表示用画像データを、原稿の階調特性、彩度に近づけることができる。そして、出力装置にて出力する画像の色の選択として、単色（モノクロあるいはシングル）、あるいは２色が選択されていると、原稿の色味に近い色補正処理である第一色変換処理が施された後に、単色画像データあるいは２色画像データに変換する第二色変換処理が施される。そのため、原稿が有している階調特性、彩度を維持してプレビュー表示することができる。
【００２５】
このように、上記第一色変換処理、上記第二色変換処理の順で処理することにより、出力装置にて出力する画像の色の選択として、単色あるいは２色が選択されている場合でも、原稿の階調特性、彩度を正確に反映することが可能となる。よって、ユーザは、出力装置にて出力（印刷、ファイリング、あるいは、送信）する前に、原稿の階調特性、彩度に近い画像を、画像表示装置にて確認することができる。
【図面の簡単な説明】
【００２６】
【図１】本実施形態の画像処理装置を示したブロック図である。
【図２】上記画像処理装置が備えた有彩無彩信号算出部の詳細な構成を示すブロック図
【図３】２色カラー画像データの生成における処理の流れを示す図である。
【図４】上記画像処理装置が備えたガンマ処理部が用いる原稿の下地かぶりを抑制するためのガンマ曲線の一例を示す図である。
【図５】上記画像処理装置の処理手順を示したフローチャートである。
【図６】本実施形態の画像形成装置を示したブロック図であり、コピアモードかつフルカラーモードにて印刷処理を行う際の画像データの流れを示したブロック図である。
【図７】（ａ）は、コピアモードかつシングルカラーモードにて印刷処理が行われる際の上記画像処理装置内の一部を示したブロック図であり、（ｂ）は、コピアモードかつ２色カラーモードにて印刷処理が行われる際の上記画像処理装置内の一部を示したブロック図である。
【図８】上記画像形成装置を示したブロック図であり、コピアモードかつフルカラーモードにてプレビュー表示処理を行う際の画像データの流れを示したブロック図である。
【図９】（ａ）は、コピアモードかつシングルカラーモードにてプレビュー表示が行われる際の上記画像処理装置内の一部を示したブロック図であり、（ｂ）は、コピアモードかつ２色カラーモードにてプレビュー表示が行われる際の上記画像処理装置内の一部を示したブロック図である。
【発明を実施するための形態】
【００２７】
（画像処理装置）
本発明の画像処理装置の一形態について図に基づいて説明する。図１は、本実施形態の画像処理装置１の主要構成を示すブロック図である。なお、以下の説明において、画像データは８ビット（画素値で０〜２５５）で表されるものとする。
【００２８】
画像処理装置１は、画像入力装置２が原稿を読み取って得た画像データに対して、画像処理を施し、プレビュー表示用の画像データを作成し、画像表示装置４に供給する装置である。画像入力装置２は、原稿を読み取り、ＲＧＢ信号からなる画像データを生成する画像読取手段である。画像入力装置２は、例えば、ＣＣＤイメージセンサを備えたスキャナにより構成される。
【００２９】
画像処理装置１は、後述のように、画像入力装置２が原稿を読み取って得た画像データから印刷用やＦＡＸ送信用の画像データも作成するが、ここでは、プレビュー表示用の画像を作成する際の処理について説明する。その他の構成および処理については、後述の画像形成装置の説明内にて説明する。
【００３０】
図１に示すように、画像処理装置１は、第一マトリックス演算部（第一色変換処理部）１１、有彩無彩信号算出部１２、第二マトリクス演算部（第二色変換処理部）１３、ガンマ処理部１４、および変倍処理部１５を備えている。
【００３１】
第一マトリクス演算部１１は、原稿をスキャンして得られた画像データのＲＧＢ信号を入力として、原稿の色味に近くなるようにＲＧＢ信号の値を変換する処理（第一色変換処理）を実行するブロックである。原稿をスキャンして得られた画像データは、例えば、画像入力装置２にて今回読み取った原稿の画像データであってもよいし、以前に画像入力装置２にて読み取って図示しない記憶部に格納しておいた画像データであってもよい。
【００３２】
第一マトリクス演算部１１に入力されたＲＧＢ信号は、画像入力装置２の色空間に適合しているデータである。第一マトリクス演算部１１は、このＲＧＢ信号を画像表示装置４の色空間に適合するＲＧＢの画像データへ変換する処理を行う。この変換処理は、下記の式（１）のマトリクス演算により行う。
【００３３】
【数１】
2013219546.tif 000003
【００３４】
上記式（１）の係数値としては、例えば下記の値を用いることができる。
【００３５】
【数２】
2013219546.tif 000004
【００３６】
係数値の求め方の例を以下に示す。画像入力装置２がカラー原稿を読み取れる装置である場合、まず、カラーチャート原稿の各色パッチを画像入力装置２で読み取ってＲＧＢデータを求める。さらに、画像入力装置２で読み取ったカラーチャート原稿の各パッチを画像表示装置４に表示して測色器で測色してＲ’Ｇ’Ｂ’値を求める。このようにして得たＲＧＢ値とＲ’Ｇ’Ｂ’値を基に、両者を対応付けるための係数をニューラルネットワークや重回帰分析等により求める。なお、画像表示装置４は、事前にＬ＊ａ＊ｂ＊値に基づく基準色を表示して測色し、カラーキャリブレーションを行っておくのが好ましい。
【００３７】
あるいは、カラーチャート原稿の各色パッチを画像入力装置２で読み取って得られたＲＧＢデータに対応するＬ＊ａ＊ｂ＊値を求める。これとともに、読み取ったカラーチャート原稿の各パッチを画像表示装置４に表示して測色器で測色してＬ＊’ａ＊’ｂ＊’値を求める。このようにして得たＬ＊ａ＊ｂ＊値とＬ＊’ａ＊’ｂ＊’値を基に、両者を対応付けるための係数をニューラルネットワークや重回帰分析等により求めるようにしてもよい。
【００３８】
有彩無彩信号算出部１２は、ユーザにより２色カラーモードが選択された場合のみ２色カラー出力処理を実行する。それ以外の場合は、有彩無彩信号算出部１２での処理はスルーされる。本実施形態における２色カラー出力処理とは、黒（グレー）およびユーザが指定した黒以外の単色（以下、選択色）の２色画像を出力する処理である。また、２色カラーモードには有彩色抽出モードと指定色抽出モードとの２種類のモードがある。有彩色抽出モードとは、原稿を読み取って形成した画像データから有彩色（黒（グレー）以外の色）を抽出し、ユーザが選択した選択色に変換して出力するモードである。指定色抽出モードとは、原稿を読み取って形成した画像データからユーザが選択した選択色以外の色を無彩色（黒（グレー））に変換して出力するモードである。なお、選択色は、Ｒ（赤），Ｇ（緑），Ｂ（青），Ｃ（シアン），Ｍ（マゼンタ），Ｙ（イエロー）の中から所望の色が１つ選択される。
【００３９】
例えば、有彩色抽出モードにおいて、選択色として赤を選択すると、有彩色として抽出された色が全て赤に変換され、無彩色は黒（グレー）で表現される。一方、指定色抽出モードにおいて、選択色として赤を選択すると、赤系統以外の色（青や緑、無彩色など）は黒に変換される。選択色は、Ｒ（赤），Ｇ（緑），Ｂ（青），Ｃ（シアン），Ｍ（マゼンタ），Ｙ（イエロー）の中から所望の色が１つ選択されるようになっている。
【００４０】
有彩無彩信号算出部１２の詳細な構成を示すブロック図を図２に示す。有彩無彩信号算出部１２は、輝度彩度算出部１２１、色判定部１２２、有彩無彩判定部１２３を備える。輝度彩度算出部１２１は、入力画像データの各画素について輝度情報（輝度信号）と彩度情報（彩度信号）とを計算する。有彩無彩信号算出部１２に入力されるＲＧＢデータはそのまま色判定部１３に出力されるとともに、輝度情報（Ｌ）と彩度情報（Ｃ）とに変換され、色判定部１３に出力される。
【００４１】
色判定部１２２は、入力画像データであるＲＧＢデータを用いて、入力画像データが選択色であるか否かを判定する色判定処理を行う。
【００４２】
有彩無彩判定部１２３は、色判定情報と彩度情報、あるいは、彩度情報を用いて有彩無彩の判定が行い、有彩であるか無彩であるかを示す有彩無彩判定信号を出力する。
【００４３】
２色カラー画像データ（２色画像データ）の生成方法について、図３のフローチャート用いて詳細に説明する。まず、入力画像データ（ＲＧＢデータ）に対して輝度（Lum）と彩度（Chroma）を計算する（ステップ３０１、以下ではＳ３０１のように略す）。計算式としては例えば下記の式を用いればよい。
【００４４】
Lum ＝Coefficient_R×In_R＋Coefficient_G×In_G＋Coefficient_B×In_B
Chroma = Max(In_R, In_G, In_B)−Min(In_R, In_G, In_B)
ここで、In_R, In_G, In_Bは入力画像データのＲ値、Ｇ値、Ｂ値（画素値）である。Coefficient_R、Coefficient_G、Coefficient_Bは予め設定される係数であり、例えば、以下のような値を用いればよい。
【００４５】
Coefficient_R = 0.3、Coefficient_G = 0.6、Coefficient_B = 0.1
次に、指定色抽出モードが選択されているか否かを判定する（Ｓ３０２）。指定色抽出モードが選択されている場合（Ｓ３０２においてＹＥＳ）、入力画像データに対して色判定処理を行う（Ｓ３０３）。指定色抽出モードが選択されていない場合（Ｓ３０２においてＮＯ）、色判定処理は行われない。ここで、有彩無彩信号算出部１２は、ユーザにより２色カラー出力が選択された場合のみ処理を実行し、選択されるモードは、有彩色抽出モードと指定色抽出モードとのどちらかである。よって、Ｓ３０２の判定において指定色抽出モードが選択されていない場合とは、言い換えれば、有彩色抽出モードが選択されている場合である。有彩色抽出モードが選択されている場合は、Ｓ３０３の色判定処理は不要であるため、実施されない。
【００４６】
色判定処理は、例えば入力ＲＧＢ値の大小関係を比較することにより行えばよい。以下の表１は選択色における大小比較の方法を示したものである。選択色が赤色の場合、条件：In_R＞R_JudgeRかつIn_G＜R_JudgeGかつIn_B＜R_JudgeBを満たせば、その画素が赤色であると判定する。
【００４７】
【表１】
2013219546.tif 000005
【００４８】
ここで、R_JudgeRは選択色が赤色時の入力値Ｒに対する閾値である。各閾値としては例えば以下の表２のような値を設定すればよい。
【００４９】
【表２】
2013219546.tif 000006
【００５０】
次に、有彩であるか無彩であるかの判定を行う（Ｓ３０４）。指定色抽出モードが選択されている場合には、Ｓ３０１で算出された彩度情報とＳ３０３で判定された色判定情報（色判定信号）とを用いて判定を行う。有彩と判定するのは、色判定処理（Ｓ３０３）にて選択色と判定され、かつ彩度値が一定値（例えば、２０）以上の場合、無彩と判定するのは上記以外の場合とする。有彩色抽出モードが選択されている場合には、Ｓ３０１で算出された彩度情報用いて有彩であるか無彩であるかの判定を行う。
【００５１】
第二マトリクス演算部１３は、ユーザにより出力色としてモノクロ、シングル、２色カラーが選択された場合のみ処理を行う。上記以外、つまりフルカラー出力が選択された場合は、第二マトリクス演算部１３での処理はスルーされる。
【００５２】
モノクロ、またはシングルカラー出力が選択された場合には、第二マトリクス演算部１３は、第一マトリクス演算部から出力されたＲＧＢ信号に対して、モノクロ、またはシングルカラーに変換する処理（第二色変換処理）を施す。変換は、下記の式（２）によって行う。
【００５３】
【数３】
2013219546.tif 000007
【００５４】
上記の式（２）の係数値は、モノクロ、および各種シングルカラーの選択色によって異なる値を用いる。係数の例を以下に示す。
【００５５】
モノクロ選択時の係数の例は、以下の通りである。
【００５６】
【数４】
2013219546.tif 000008
【００５７】
シングルカラーとしてレッド（Ｒ）を選択時の係数の例は、以下の通りである。
【００５８】
【数５】
2013219546.tif 000009
【００５９】
シングルカラーとしてグリーン（Ｇ）を選択時の係数の例は、以下の通りである。
【００６０】
【数６】
2013219546.tif 000010
【００６１】
シングルカラーとしてブルー（Ｂ）を選択時の係数の例は、以下の通りである。
【００６２】
【数７】
2013219546.tif 000011
【００６３】
シングルカラーとしてシアン（Ｃ）を選択時の係数の例は、以下の通りである。
【００６４】
【数８】
2013219546.tif 000012
【００６５】
シングルカラーとしてマゼンタ（Ｍ）を選択時の係数の例は、以下の通りである。
【００６６】
【数９】
2013219546.tif 000013
【００６７】
シングルカラーとしてイエロー（Ｙ）を選択時の係数の例は、以下の通りである。
【００６８】
【数１０】
2013219546.tif 000014
【００６９】
２色カラー出力が選択された場合には、第二マトリクス演算部１３は、有彩無彩信号算出部１２から出力されたＲＧＢ信号に対して、有彩無彩判定信号に基づいて２色カラーに変換する処理（第二色変換処理）を施す。具体的には、無彩であると判定された画素に対しては上記のモノクロ選択時の係数を用いて処理を施す。他方、有彩であると判定された画素に対しては、上記のシングルカラー各色のうち、２色カラー出力選択時の選択色に対応する係数を用いて処理を施す。
【００７０】
ガンマ処理部１４は、ＲＧＢそれぞれの信号に対して、ルックアップテーブル（ＬＵＴ）を用いたガンマ処理を施し、原稿の下地かぶりを抑制する。用いるガンマ曲線の例を図４に示す。ガンマ曲線はＲＧＢそれぞれの信号に対して同じものを用いてもよいし、異なっていてもよい。また、図１に示す画像処理装置１では、ガンマ処理部１４は第二マトリクス演算部１３の後に存在するが、第二マトリクス演算部１３の前、もしくは、第一マトリクス演算部１１の後にあってもよい。
【００７１】
変倍処理部１５は、画像データに対して縮小処理を施す。縮小処理を施す理由を以下に示す。画像入力装置２において、原稿画像は通常、６００ｄｐｉや３００ｄｐｉのスキャン解像度で読み取られる。これに対して、画像表示装置４の表示解像度は７５ｄｐｉや１５０ｄｐｉ程度とスキャン解像度に比べて小さいことが多い。そのため、スキャン画像の全体像を画像表示装置４に表示しようとすると、非常に大きな画像表示装置４が必要になる。例えば、６００ｄｐｉスキャン画像全体を７５ｄｐｉの画像表示装置４に表示するには、原稿画像の８倍のサイズの画像表示装置４が必要となる。しかしながら、それほど大きな画像表示装置４を設けるのはコストがかかり、現実的ではない。
【００７２】
このような理由により、変倍処理部１５にて、画像入力装置２でのスキャン解像度と画像表示装置４の表示解像度を考慮した縮小処理を施す。このときの縮小倍率は、以下の式によって求める。
【００７３】
縮小倍率＝表示解像度／スキャン解像度
縮小の方法としては、例えばバイリニア法を用いる。縮小前の画像の画素値をf（x,y）、縮小後の画像の画素値をf'（x,y）、縮小倍率をＡとすると、バイリニア法の計算式は以下のようになる。
【００７４】
【数１１】
2013219546.tif 000015
【００７５】
なお、上式中の[]で囲まれた値は、小数点以下を切り捨てた整数であることを表している。また、縮小処理としてバイキュービック法を用いても良い。縮小前の画像の画素値をｆ（ｘ，ｙ）、縮小後の画像の画素値をｆ'（ｘ，ｙ）、縮小倍率をＡとすると、バイキュービック法の計算式は以下のようになる。
【００７６】
【数１２】
2013219546.tif 000016
【００７７】
上式中の[]で囲まれた値は、小数点以下を切り捨てた整数であることを表している。
【００７８】
画像表示装置４は、ＲＧＢ信号からなる画像データを表示する装置であり、例えば、液晶パネルにより構成される。
【００７９】
図５に、本実施形態の画像処理装置１にて画像データに処理を施して画像表示装置４にて表示する際の処理の流れのフローチャートを示す。まず、画像データに対して第一マトリクス演算を施して、原稿に近い色味に変換する（Ｓ５０１）。次に、モノクロ、またはシングルカラー出力が選択されているか否かを判定する（Ｓ５０２）。モノクロ、またはシングルカラー出力が選択されている場合（Ｓ５０２においてＹＥＳ）、第二マトリクス演算を施す（Ｓ５０５）。
【００８０】
モノクロ、またはシングルカラー出力が選択されていない場合（Ｓ５０２においてＮＯ）、２色カラーが選択されているか否かを判定する（Ｓ５０３）。２色カラーが選択されている場合（Ｓ５０３においてＹＥＳ）、有彩無彩信号を算出し（Ｓ５０４）、第二マトリクス演算を施す（Ｓ５０５）。第２マトリクス演算の後に、ガンマ処理を施し（Ｓ５０６）、その後、変倍処理を施し（Ｓ５０７）、画像表示装置４にて画像表示を行う（Ｓ５０８）。２色カラーが選択されていない場合には（Ｓ５０３においてＮＯ）、第二マトリクス演算（Ｓ５０５）を飛ばして、ガンマ処理（Ｓ５０６）以降を実行する。
【００８１】
（画像形成装置）
次に、本実施形態の画像処理装置１を備えた、本実施形態の画像形成装置の一形態について図に基づいて説明する。図６は、本実施形態の画像形成装置１００の概略構成を示すブロック図である。画像形成装置１００は、コピーモード（複写モード）、プリントモード、ファクシミリ送信モード、ファクシミリ受信モード、およびイメージ送信モードの中からいずれかのモードが選択されると、選択されたモードを実行するデジタルカラー複合機である。
【００８２】
コピーモードとは、画像入力装置２で原稿を読み込んで画像データを生成し、この画像データの画像を用紙に印刷するモードを意味する。また、プリントモードとは、画像形成装置１００に接続されているＰＣ等の端末装置から送られてくる画像データの画像を用紙に印刷するモードを意味する。
【００８３】
ファクシミリ送信モードとは、原稿を読み取って得られる画像データを電話回線によって外部装置に送信する通常のファクシミリモードと、前記画像データをメールに添付してインターネットによって送信するインターネットファクシミリモードとを意味する。ファクシミリ受信モードとは、外部装置から画像データをファクシミリ受信装置にて受信し、受信した画像データの画像を用紙に印刷するモードを意味する。イメージ送信モードとは、（１）原稿を読み取って得られる画像データを電子メールに添付して指定されたアドレスへ送信するモード（scan to e-mailモード）、（２）原稿を読み取って得られる画像データをユーザにより指定されたフォルダに送信するモード（scan to ftpモード）、（３）原稿を読み取って得られる画像データを画像形成装置１００に装着されたＵＳＢメモリなどに送信するモード（scan to usbモード）を意味する。なお、本実施形態においては、画像処理の動作上から、ファクシミリ送信モードとイメージ送信モードとを上記のように分類している。しかし、モードの分類は上記に限定されない。
【００８４】
本実施形態の画像形成装置１００では、コピーモードまたはプリントモードが選択されている場合、ユーザは、白黒画像を出力する白黒（モノクロ）モード，フルカラーの画像を出力するフルカラーモード，ユーザの所望する１色のみからなる単色画像を出力するシングルカラーモード，ユーザの所望する１色と黒色とからなる２色画像を出力する２色カラーモードのいずれかを選択できるようになっている。
【００８５】
例えば、コピーモードまたはプリントモードにおいて、ユーザがシングルカラーモードを選択した場合、上記単色画像が印刷されることになる。シングルカラーモードでは、ユーザは、Ｒ（赤），Ｇ（緑），Ｂ（青），Ｃ（シアン），Ｍ（マゼンタ），Ｙ（イエロー）の中から所望の色を１つ選択することになる。また、コピーモードまたはプリントモードにおいて、ユーザが２色カラーモードを選択した場合、上記２色画像の画像データが印刷される。２色カラーモードについては、上記した通り有彩色抽出モードと指定色抽出モードとがあり、これらの説明は上記した通りである。
【００８６】
画像形成装置１００は、図６に示されるように、画像処理装置１、画像入力装置２、画像出力装置（出力装置）３、画像表示装置（表示装置）４、記憶装置（出力装置）５、受信装置６、送信装置（出力装置）７、および制御部（モード受付部）８を有している。
【００８７】
画像入力装置２は、コピーモード、ファクシミリ送信モード、イメージ送信モードにおいて、原稿を読み取り画像データを生成する画像読取手段である。より具体的に説明すると、画像入力装置２は、ＣＣＤイメージセンサを備えたスキャナ部を有し、原稿から反射してきた光を、ＲＧＢに色分解された電気信号（アナログの画像信号）に変換し、この電気信号を画像処理装置１に入力する装置である。
【００８８】
なお、画像入力装置２は、上記のフルカラーモード，シングルカラーモード，２色カラーモードのいずれのモードが選択されている場合であっても、フルカラーにて原稿画像の読み取りを行う。また、画像入力装置２は、画像処理装置１において後述する自動カラー判別処理が行われる場合であってもフルカラーにて原稿画像の読み取りを行う。
【００８９】
画像処理装置１は、画像入力装置２にて得られた画像データ（画像信号）、あるいは外部から受信した画像データ（画像信号）に対して画像処理を施す集積回路であり、ＡＳＩＣ（Application specific integrated circuit）から構成される。画像処理装置１は、以下の構成を有するが、上記で図１を用いて説明した構成については同じ番号を付し、上記で説明した内容については簡略する。画像処理装置１は、図６に示すように、Ａ／Ｄ（アナログ／デジタル）変換部２１、シェーディング補正部２２、入力処理部２３、原稿種別自動判別部２４、領域分離処理部２５、第一マトリクス演算部１１、圧縮部２６、領域分離信号圧縮部２７、復号部２８、領域分離信号復号部２９、画質調整部３０、有彩無彩信号算出部１２、第二マトリクス演算部１３、ガンマ処理部１４、色補正部３１、黒生成／下色除去部３２、空間フィルタ部３３、変倍処理部３４、出力階調補正部３５、および中間調生成部３６の各ブロックを有している。画像処理装置１に含まれる各ブロックの処理内容については後で詳述する。
【００９０】
なお、画像処理装置１は、コピーモード、ファクシミリ送信モード、イメージ送信モードにおいて、画像入力装置２から送信されてきた画像データに画像処理を行う。プリントモードにおいて、外部の端末装置から送信されてきた画像データに画像処理を行う。ファクシミリ受信モードにおいて、外部装置から受信した画像データに画像処理を行う。
【００９１】
そして、画像処理装置１は、コピアモード、プリントモード、ファクシミリ受信モードにおいて、画像処理を施した画像データを画像出力装置３に送信し、ファクシミリ送信モードにおいて画像処理を施した画像データを送信装置７に送信する。また、画像処理装置１は、イメージ送信モードのscan to e-mailモードにおいて、画像処理を施した画像データをメール処理部（不図示）に送信し、scan to ftpモードにおいて、画像処理を施した画像データを所定のフォルダに送信し、scan to usbモードにおいて、画像処理を施した画像データを所定のＵＳＢメモリに送信する。
【００９２】
画像出力装置（プリンタ）３は、画像処理装置１から送られてきた画像データの画像を記録媒体（例えば、紙やシート等）に印刷（形成）する装置である。画像出力装置３として、例えば、電子写真方式またはインクジェット方式を用いたカラープリンタを挙げることができる。なお、本実施形態においての「印刷」とは、プリントモードにおける印刷、コピーモードでの印刷、ファクシミリ受信モードでの印刷のいずれかを意味する。
【００９３】
画像表示装置４は、画像形成装置１００の操作パネル（不図示）に備えられている液晶ディスプレイであり、カラー画像の表示が可能な表示手段である。また、画像表示装置４は、タッチパネルとして形成されており、画像形成装置１００の入力インターフェイスとしての機能も有している。つまり、画像表示装置４には、画像形成装置１００に対して各種コマンドの入力を行うためのＧＵＩ（グラフィカルユーザインターフェイス）や操作ガイドが表示される。
【００９４】
ここで、画像形成装置１００では、コピーモードまたはファクシミリ受信モードにおいて、印刷実行前に、印刷対象となる画像のプレビューを画像表示装置４に表示することが可能になっている。さらに、画像形成装置１００では、ファクシミリ送信モードまたはイメージ送信モードにおいて、送信実行前に、送信対象となる画像のプレビューを画像表示装置４に表示することが可能になっている。
【００９５】
ここで、コピアモードまたはイメージ送信モードにおいて、フルカラーモードが選択されている場合はフルカラー画像のプレビューが表示され、シングルカラーモードが選択されている場合は単色画像のプレビューが表示され、２色カラーモードが選択されている場合は２色画像のプレビューが表示されるようになっている。
【００９６】
なお、画像表示装置４は、液晶ディスプレイに限定されるものではなく、液晶ディスプレイ以外の表示手段（例えば、有機ＥＬディスプレイ、プラズマディスプレイ等）であってもよい。
【００９７】
記憶装置５は、画像処理装置１にて扱われる画像データを一旦保存するためのメモリあるいはハードディスクである。
【００９８】
受信装置６は、電話回線やインターネットなどの通信ネットワークに接続しており、ファクシミリ通信によって外部装置から画像データを受信する装置である。また、送信装置７は、電話回線やインターネットなどの通信ネットワークに接続しており、画像入力装置２にて入力された画像データをファクシミリ通信によって外部装置へ送信する装置である。
【００９９】
制御部８は、ＣＰＵ（Central Processing Unit）あるいはＤＳＰ（Digital Signal Processor）等のプロセッサを含むコンピュータであり、画像形成装置１００に備えられる各ブロックを統括的に制御する。また、制御部８は、画像形成装置１００に備えられる各ブロック間のデータ転送を制御する機能も有する。
【０１００】
次に、コピーモードにおいて画像処理装置１の各ブロックにて実行される処理の内容を、詳細に説明する。
【０１０１】
なお、画像処理装置１には、あるモードａが選択されている時は処理を実行する一方で、モードａとは異なるモードｂが選択されている時は処理を実行しないブロックが存在する（モードａ、モードｂは、コピアモード、ファクシミリ送信モード、ファクシミリ受信モード、イメージ送信モードのいずれかである）。また、画像処理装置１には、選択されているモードに応じて処理内容を変更するブロックも存在する。さらに、画像処理装置１には、選択されているモードが同じであっても、印刷用（送信用）の画像データの処理時は動作する一方でプレビュー用の画像データの処理時は動作しないようなブロックや、印刷用（送信用）の画像データの処理時とプレビュー用の画像データの処理時とで処理内容を変更するブロックが存在する。
【０１０２】
そこで、以下では、画像処理装置１に含まれる各ブロックにて実行される処理の内容について、コピーモードを例として説明すると共に、印刷処理時と画像データ表示時とで分けて説明する。
【０１０３】
（１）コピーモードでの印刷時（画像印刷ジョブ）
以下では、図６に基づいて画像処理装置１について説明する。図６ではコピーモードかつフルカラーモードにて印刷処理を行う際の画像処理装置１内の画像データの流れを示している。シングルカラーモード、２色カラーモードでの印刷処理の際の画像データの流れは、図７（ａ），（ｂ）に示す。図７（ａ）は、画像処理装置１の一部のブロック図であり、コピーモードかつシングルカラーモードにて印刷処理が行われる際の画像データの流れを示している。図７（ｂ）は、画像処理装置１の一部のブロック図であり、コピーモードかつ２色カラーモードにて印刷処理が行われる際の画像データの流れを示している。
【０１０４】
Ａ／Ｄ（アナログ・デジタル）変換部２１は、画像入力装置２から送られてきたカラー画像信号（ＲＧＢアナログ信号）をデジタルの画像データ（ＲＧＢデジタル信号）に変換するブロックである。シェーディング補正部２２は、Ａ／Ｄ変換部２１から送られてきた画像データに対して、画像入力装置２の照明系、結像系、撮像系で生じる各種の歪みを取り除く処理を施すブロックである。入力処理部２３は、シェーディング補正部２２より送られてくるＲＧＢデータのそれぞれに対して、γ補正処理などの階調変換処理を施すブロックである。
【０１０５】
原稿種別自動判別部２４は、ＲＧＢの画像データ（ＲＧＢの濃度信号）に基づき、画像入力装置２にて読み取られた原稿の種別の判定を行う。ここで、判定される原稿の種別としては、文字原稿、印刷写真原稿、文字と印刷写真とが混在した文字印刷写真原稿等がある。
【０１０６】
また、原稿種別自動判別部２４は、上記画像データに基づき、読み取られた原稿がカラー原稿であるか白黒原稿であるのかの判別を行う処理である自動カラー判別処理（ＡＣＳ：Auto Color Selection）やブランク原稿であるか否か（無地の原稿であるか否か）の判定処理も行うことができる。なお、原稿種別自動判別部２４から出力されるＲＧＢの画像データは、領域分離処理部２５および圧縮部２６に入力するようになっている。
【０１０７】
領域分離処理部２５は、原稿種別自動判別部２４から送られてくるＲＧＢの画像データに基づき、入力画像の画素毎に、当該画素がどのような画像領域に分類されるのかを判別し、この判別結果を示す領域分離信号を生成する処理を行う。ここで、領域分離処理部２５において判別される画像領域には、黒文字領域、色文字領域、網点領域等がある。なお、領域分離処理部２５は、画素毎に画像領域の判定を行う形態ではなく、複数の画素よりなるブロック毎に画像領域の判定が行われる形態であってもよい。
【０１０８】
圧縮部２６は、原稿種別自動判別部２４から送られてくる画像データ（ＲＧＢ信号）を符号化する処理を行うブロックである。なお、上記符号化は、例えばＪＰＥＧ（Joint Photographic Experts Group）方式に基づいて行われる。
【０１０９】
領域分離信号圧縮部２７は、画素毎に生成された領域分離信号に対して圧縮処理を施すブロックである。なお、領域分離信号圧縮部２７における圧縮処理は、例えば、可逆圧縮方法であるＭＭＲ（Modified Modified Reed）方式、ＭＲ（Modified Reed）方式に基づいて行われる。
【０１１０】
第一マトリクス演算部１１は、印刷処理時には動作（処理を実行）しない。以下では、動作しないで次のブロックに進むことをスルーと称する。
【０１１１】
制御部８は、圧縮部２６から出力された符号化コード（符号化された画像データ）と領域分離信号圧縮部２７から出力された領域分離信号コード（圧縮された領域分離信号）とを一旦記憶装置５に保存し、ファイリングデータとして管理する。そして、制御部８は、コピー出力動作が指示された場合、記憶装置５から上記の符号化コードおよび当該符号化コードに対応する領域分離信号コードを読み出し、復号部２８、領域分離信号復号部２９にそれぞれ引き渡す。
【０１１２】
なお、制御部８は、上記符号化コードの保存アドレスまたはデータ名と、領域分離信号コードの保存アドレスとを対応付けて管理テーブルに記入する。つまり、制御部８は、当該管理テーブルを用いて、符号化コードおよび領域分離信号コードの読み出しまたは書き込みの制御を行う。
【０１１３】
復号部２８は、上記符号化コードに対して復号化処理を施すことによって、上記符号化コードをＲＧＢの画像データに伸張する。また、領域分離信号復号部２９は、上記領域分離信号コードに対して復号化処理を施す。復号化した領域分離信号は、色補正部３１、黒生成／下色除去部３２、空間フィルタ部３３、中間調生成部３６に引き渡される。そして、色補正部３１、黒生成／下色除去部３２、空間フィルタ部３３、中間調生成部３６においては、画像領域の種類に応じて画像処理内容の切替えが行われる。
【０１１４】
画質調整部３０は、復号部２８から送られてくるＲＧＢの画像データについて、下地の検出を行って下地除去補正を行う。さらに、画質調整部３０は、ユーザによって操作パネル（不図示）から入力される設定情報に基づいて、ＲＧＢのバランス（カラー調整、赤み青みといった全体のカラー調整）、明るさ、鮮やかさの調整を行う。
【０１１５】
有彩無彩信号算出部１２は、上述したように、２色カラーモードが選択されている場合、画質調整部３０から出力されたＲＧＢの画像データをもとに、有彩・無彩を判定する有彩無彩判定信号を算出する。フルカラー、またはシングルカラーモードが選択されている場合、画質調整部３０から出力されたＲＧＢの画像データに対して何も処理を行わず、当該画像データをそのまま第二マトリクス演算部１３へ引き渡す（スルーする）。
【０１１６】
第二マトリクス演算部１３は、上述したように、シングルカラーモードが選択されている場合、ＲＧＢ画像データをＣＭＹのシングルカラーに変換する処理を行う。２色カラーモードが選択されている場合、有彩無彩信号算出部１２の出力する有彩無彩判定信号に基づいて、ＲＧＢ画像データをＣＭＹの２色カラーに変換する処理を行う。フルカラーモードが選択されている場合、ＲＧＢの画像データに対して何も処理を行わず、当該画像データをそのまま色補正部３１へ引き渡す（スルーする）。
【０１１７】
ガンマ処理部１４はプレビュー時に動作するため、印刷処理時はスルーされる。
【０１１８】
色補正部３１は、フルカラーモードが選択されている場合、ＲＧＢの画像データをＣＭＹの画像データに変換する色補正処理を行うと共に、当該画像データに対して色再現性を高める処理を施すブロックである。なお、上記色補正処理は、入力値（ＲＧＢ）と出力値（ＣＭＹ）とを対応付けたＬＵＴ（ルックアップテーブル）を作成し、作成したＬＵＴから出力値を参照することによって実現される。シングルカラーモードまたは２色カラーモードが選択されている場合、図７（ａ），（ｂ）に示されるように、ＣＭＹの画像データに対して何も処理を行わず、当該画像データをそのまま黒生成／下色除去部３２へ引き渡す（スルーする）。
【０１１９】
黒生成／下色除去部３２は、フルカラーモードまたは２色カラーモードが選択されている場合、色補正部３１から出力されたＣＭＹの画像データから黒（Ｋ）の画像データを生成する黒生成を行う一方、元のＣＭＹの画像データから黒（Ｋ）の画像データを差し引いて新たなＣＭＹの画像データを生成する処理を行うブロックである。これにより、フルカラーモードまたは２色カラーモードが選択されている場合、図６および図７（ｂ）に示されるように、ＣＭＹの画像データは黒生成／下色除去部３２によってＣＭＹＫの４色の画像データに変換される。
【０１２０】
また、黒生成／下色除去部３２は、シングルカラーモードが選択されている場合、図７（ａ）に示されるように、色補正部３１から出力されたＣＭＹの画像データに対して何も処理を行わず、当該画像データをそのまま後段の空間フィルタ部３３へ引き渡す（スルーする）。
【０１２１】
なお、フルカラーモードまたは２色カラーモードが選択されている場合、黒生成／下色除去部３２の出力、および、黒生成／下色除去部３２よりも後段の各ブロックの入出力は、図６のように、ＣＭＹＫの画像データとなる。しかし、シングルカラーモードが選択されている場合、図７（ａ）に示されるように、黒生成／下色除去部３２の出力、および、黒生成／下色除去部３２よりも後段の各ブロックの入出力は、図６とは異なり、ＣＭＹの画像データとなる。
【０１２２】
空間フィルタ部３３は、黒生成／下色除去部３２より出力されるＣＭＹＫまたはＣＭＹの画像データに対して、領域分離信号（領域識別信号）を基にデジタルフィルタによる空間フィルタ処理（強調処理、平滑化処理等）を行う。つまり、空間フィルタ部３３では、領域分離信号に基づいて、画像領域毎に異なる画像処理が実行される。
【０１２３】
変倍処理部１５は、操作パネル（不図示）を介してユーザによって入力される変倍コマンド（印刷画像の倍率を示した情報）に基づいて、画像の拡大や縮小処理を行うブロックである。
【０１２４】
出力階調補正部３５は、変倍処理部１５から出力された画像データに対して、用紙等の記録媒体に出力するための出力γ補正処理を行うブロックである。中間調生成部３６は、誤差拡散法やディザ法を用いて、画像出力装置３において画像を印刷するために必要な階調再現処理（中間調生成処理）を実行するブロックである。
【０１２５】
中間調生成部３６から出力されるＣＭＹＫまたはＣＭＹの画像データは、画像出力装置３に引き渡され、画像出力装置３は、当該画像データの画像を、例えば紙等の記録媒体上に印刷する。
【０１２６】
（２）コピーモードでのプレビュー表示時
次に、コピーモードにて、原稿を読み取って得た画像データのプレビュー表示を画像表示装置４にて行う場合のとして表示する場合において、画像処理装置１の各ブロックにて実行される処理の内容を、図８に基づいて説明する。図８は、図６で示した画像形成装置１００と同じ画像形成装置１００の構成を示すブロック図であり、コピーモードかつフルカラーモードにてプレビュー表示を行う際の画像データの流れを示している。シングルカラーモード、２色カラーモードの場合の画像データの流れは、図９（ａ）（ｂ）に示す。図９（ａ）は、画像処理装置１の一部のブロック図であり、コピアモードかつシングルカラーモードにてプレビュー表示を行う際の画像データの流れを示している。図９（ｂ）は、画像処理装置１の一部のブロック図であり、コピーモードかつ２色カラーモードにてプレビュー表示を行う際の画像データの流れを示している。
【０１２７】
なお、Ａ／Ｄ（アナログ／デジタル）変換部２１、シェーディング補正部２２、入力処理部２３、原稿種別自動判別部２４、圧縮部２６、復号部２８、画質調整部３０、および有彩無彩信号算出部１２で実行される処理については、上記したコピーモードでの印刷処理時と同じであるため、その説明を省略する。
【０１２８】
第一マトリクス演算部１１は、図１を用いて上記で説明したように、画像データのＲＧＢ信号を入力として、原稿の色味に近くなるようにＲＧＢ信号の値を変換する。
【０１２９】
第二マトリクス演算部１３は、シングルカラーモードが選択されている場合、ＲＧＢ画像データをＲ１Ｇ１Ｂ１のシングルカラーに変換する処理を行う。２色カラーモードが選択されている場合、有彩無彩判定信号に基づいて、Ｒ２Ｇ２Ｂ２の２色カラーに変換する処理を行う。フルカラーモードが選択されている場合、ＲＧＢの画像データに対して何も処理を行わず、当該画像データをそのまま色補正部３１へ引き渡す（スルーする）。
【０１３０】
ガンマ処理部１４は、ＲＧＢ、Ｒ１Ｇ１Ｂ１またはＲ２Ｇ２Ｂ２それぞれの画像データに対して、ガンマ処理を施し、原稿の色味はほとんど変えずに下地かぶりを抑制する。
【０１３１】
色補正部３１は、フルカラーモードが選択されている場合、ガンマ処理部１４から出力されたＲＧＢの画像データを、画像表示装置４の表示特性に適合したＲ３Ｇ３Ｂ３の画像データに変換する処理を行う。なお、ＲＧＢの画像データをＲ３Ｇ３Ｂ３の画像データに変換する処理は、入力値（ＲＧＢ）と出力値（Ｒ３Ｇ３Ｂ３）とを対応付けたＬＵＴを作成し、作成したＬＵＴから出力値を参照することによって実現することができる。シングルカラーモードおよび２色カラーモードが選択されている場合は、画像データをそのまま次へ引き渡す（スルーする）。
【０１３２】
黒生成／下色除去部３２、空間フィルタ部３３は、図８，図９（ａ）および（ｂ）に示すように、シングルカラーモード，２色カラーモード，フルカラーモードのいずれのモードであっても、プレビュー表示時は処理を行わず、当該画像データをそのまま次の処理部へ引き渡す（スルーする）。
【０１３３】
変倍処理部１５は、図１を用いて上記で説明したように、画像データに対して画像表示装置４の表示解像度を考慮した縮小処理を施す。
【０１３４】
出力階調補正部３５、中間調生成部３６は、プレビュー表示時は、変倍処理部１５から出力される画像データに対して何も処理を行わず、画像データをそのまま後段の画像表示装置４に引き渡す。そして、画像表示装置４は画像処理装置１から引き受けた画像データを、プレビュー画像として表示する。
【０１３５】
画像入力装置２が原稿から読み取って得る画像データは、彩度や階調の再現性が悪く、原稿に比べ、くすんだ色味となっている。しかし、本実施形態の画像処理装置１では、第一マトリクス演算部１１により、画像表示装置４に供給される画像データに原稿の色に近づける処理（第一色変換処理）が施される。第一色変換処理により、画像データを、原稿の階調特性、彩度に近づけることができる。そして、画像出力装置３にて出力する画像の色の選択として、モノクロ、シングルカラー、あるいは２色カラーが選択されていると、第一色変換処理が施された後に、第二マトリクス演算部１３により、モノクロ、シングルカラー、あるいは２色カラーに変換する処理（第二色変換処理）が施される。そのため、原稿が有している階調特性、彩度を維持してプレビュー表示することができる。
【０１３６】
このように、上記第一色変換処理、上記第二色変換処理の順で処理することにより、画像出力装置３にて出力する画像の色の選択として、モノクロ、シングルカラーあるいは２色カラーが選択されている場合でも、原稿の階調特性、彩度を正確に反映することが可能となる。よって、ユーザは、画像出力装置３での出力前に、原稿の階調特性、彩度に近い画像を、画像表示装置４にて確認することができる。なお、画像出力装置３での出力前だけでなく、ファイリング、送信（e-mail送信、ファクシミリ送信）の前であっても、同様の処理を行うことで、同様の効果を得られる。つまり、ファイリングあるいは送信する画像の色の選択として、モノクロ、シングルカラーあるいは２色カラーが選択されると、原稿の階調特性、彩度を正確に反映したプレビュー表示を行うことが可能となる。よって、ユーザは、ファイリングあるいは送信の前に、原稿の階調特性、彩度に近い画像を、画像表示装置４にて確認することができる。
【０１３７】
なお、画像出力装置３にて出力する画像の色の選択として、フルカラーが選択されている場合、フルカラーの画像データに対しても第一マトリクス演算部１１での処理を施すことにより、同様の効果を得ることができる。つまり、原稿の階調特性、彩度に近いフルカラー画像をプレビュー表示できる。
【０１３８】
上記の図６を用いた説明では、画像形成装置１００は、圧縮画像データ（符号化コード）と領域分離信号コードとを対応付けて記憶装置５に格納している。しかし、画像入力装置２にて原稿を読み取って画像データを得た後、領域分離処理及び原稿種別判別処理を行う前に、読み取った画像データを符号化して一旦記憶装置５に格納しておき、記憶装置５から読み出して復号化した画像データについて原稿種別判別処理や領域分離処理を施すように構成してもよい。
【０１３９】
また、図６に示した画像形成装置１００は、コピーモード・プリントモード・ファクシミリ送信モード・ファクシミリ受信モード・イメージ送信モード等のジョブの選択中に画像ファイリングモード（画像ファイリングジョブ）を実行可能としてもよい。この画像ファイリングモードとは、コピアモード等のジョブの選択中において、画像入力装置２にて得られた画像データまたは外部から受信した画像データに基づいて画像ファイル（ＪＰＥＧ、ＴＩＦＦファイル等）を作成し、この画像ファイルを記憶装置５に保存するモードである。
【０１４０】
ここで、画像ファイリングモードのファイリング時において、画像入力装置２にて得られた画像データまたは外部から受信した画像データは画像処理装置１にて画像ファイル（ＪＰＥＧ、ＴＩＦＦファイル等）に変換され、その後、不図示のファイリング処理部（ジョブ装置）に送られ、このファイリング処理部が上記画像ファイルを記憶装置５に保存する。
【０１４１】
また、各ジョブ（コピーモード・ファクシミリ送信モード等）の選択中においてプレビューを行う場合、画像ファイリングモードの実行の有無に拘わらず、画像入力装置２にて得られた画像データまたは外部から受信した画像データは画像処理装置１にて処理され、その後、画像表示装置４に送られる。さらに、各ジョブの選択中においてプレビューを行う場合、画像ファイリングモードの実行の有無に拘わらず、画像処理装置１にて実行される画像処理の内容は同一である。例えば、コピーモードにおけるプレビュー表示時には、画像ファイリングモードの実行の有無に関係なく、画像処理装置１の処理内容は、図８及び図９（ａ），（ｂ）に示す処理となる。
【０１４２】
画像形成装置１００における、プリントモード、ファクシミリ送信モード、ファクシミリ受信モード、イメージ送信モードでの各処理については、説明を省略する。なお、これらのモードにおいて、出力前にプレビュー表示を行ってもよい。
【０１４３】
（原稿種別判別処理の例）
原稿種別判別処理（原稿種別自動判別処理）とは、入力画像データに基づいて、読み取られた原稿の種類を判別する技術であり、例えば、特許文献２（特開２００２−２２２７０８号公報）に記載の以下の（１）〜（７）の方法を用いることができる。
【０１４４】
（１）画像データの各画素に対して、注目画素を含むｎ×ｍ（例えば、７×１５）のブロックにおける最小濃度値及び最大濃度値を算出する。
【０１４５】
（２）算出された最小濃度値及び最大濃度値の差分である最大濃度差を算出する。
【０１４６】
（３）隣接する画素の濃度差の絶対値の総和である総和濃度繁雑度（例えば、主走査方向と副走査方向について算出した値の和）を算出する。
【０１４７】
（４）算出された最大濃度差と最大濃度差閾値との比較、及び算出された総和濃度繁雑度と総和濃度繁雑度閾値との比較、を行う。ここで、最大濃度差＜最大濃度差閾値、及び、総和濃度繁雑度＜総和濃度繁雑度閾値となるとき、注目画素は下地・印画紙写真領域に属すると判定する。一方、前記条件を満たさないとき、注目画素は文字・網点領域に属すると判定する。
【０１４８】
（５）下地・印画紙写真領域に属すると判定された各画素について、注目画素が、最大濃度差＜下地・印画紙写真判定閾値、という条件を充たすとき、注目画素は下地領域の画素（下地画素）であると判定する。一方、この条件を充たさないとき、注目画素は印画紙写真領域（連続階調領域）の画素（印画紙写真領域画素）であると判定する。
【０１４９】
（６）文字・網点領域に属すると判定された各画素について、注目画素が、総和濃度繁雑度＜最大濃度差に文字・網点判定閾値を乗算した値、という条件を充たすとき、注目画素は文字領域の画素（文字画素）であると判定する。一方、この条件を充たさないとき、注目画素は網点領域の画素（網点画素）であると判定する。
【０１５０】
（７）下地領域、印画紙写真領域、文字領域及び網点領域に分類された画素数をカウントし、それぞれのカウント値と、予め定められている下地領域、印画紙写真領域、網点領域及び文字領域に対する閾値とを比較して原稿全体の種別を判定する。
【０１５１】
例えば、文字、網点、印画紙写真の順に検出精度が高いとすると、文字領域の比率が全画素数の３０％以上の場合には文字原稿、網点領域の比率が全画素数の２０％以上の場合には、当該原稿が網点原稿（印刷写真原稿）であると判定する。一方、印画紙写真領域の比率が全画素数の１０％以上の場合には、当該原稿が印画紙写真原稿であると判定する。また、文字領域の比率と網点領域の比率とが、それぞれ閾値以上であるとき、原稿が文字／網点原稿（文字印刷写真原稿）であると判定する。
【０１５２】
なお、原稿の種類の判別は、原稿の種類が判別できれば十分であるので、例えば、画素の判別を行う際に、閾値付近の特徴量を有する画素を除外して確実に領域分離を行うことができる画素を選択して原稿の種別判定を行うようにしてもよい。
【０１５３】
（プログラム・記録媒体）
本実施形態の画像処理装置１は、ハードウェアロジックによって構成してもよいし、次のようにＣＰＵを用いてソフトウェアによって実現してもよい。
【０１５４】
すなわち、画像処理装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである画像処理装置１の各制御プログラムのプログラムコード（実行形式プログラム、中間コードプログラム、ソースプログラム）をコンピュータで読み取り可能に記録した記録媒体を、画像処理装置１に供給し、そのコンピュータ（またはＣＰＵやＭＰＵ）が記録媒体に記録されているプログラムコードを読み出し実行することによっても、達成可能である。
【０１５５】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ類、ＰＬＤ（Programmable logic device）等の論理回路類などを用いることができる。
【０１５６】
また、画像処理装置１を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１５７】
上記記録媒体は、デジタルカラー画像形成装置やコンピュータシステムに備えられるプログラム読み取り装置により読み取られることで上述した画像処理方法が実行される。
【０１５８】
本発明は上述した各実施形態に限定されるものではなく、種々の変更が可能であり、上述した実施形態において開示された各技術的手段を適宜組み合わせて得られる実施形態についても本発明の技術的範囲に含まれる。
【産業上の利用可能性】
【０１５９】
本発明の画像処理装置は、画像データを取り扱うプレビュー表示可能な装置に用いることができ、複合機、複写機、ファクシミリに、特に好適である。
【符号の説明】
【０１６０】
１  画像処理装置
２  画像入力装置
３  画像出力装置（出力装置）
４  画像表示装置（表示装置）
５  記憶装置（出力装置）
６  受信装置
７  送信装置（出力装置）
８  制御部
１１  第一マトリクス演算部（第一色変換処理部）
１２  有彩無彩信号算出部
１３  第二マトリクス演算部（第二色変換処理部）
１４  ガンマ処理部
１００  画像形成装置
１２１  輝度彩度算出部
１２２  色判定部
１２３  有彩無彩判定部
【図１】
2013219546.tif 000017
【図２】
2013219546.tif 000018
【図３】
2013219546.tif 000019
【図４】
2013219546.tif 000020
【図５】
2013219546.tif 000021
【図６】
2013219546.tif 000022
【図７】
2013219546.tif 000023
【図８】
2013219546.tif 000024
【図９】
2013219546.tif 000025